【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
ａ）少なくとも導電性表面又はチップを有する可動エレメント；
ｂ）固定電極；
ｃ）電気泳動流体が充填されたディスプレイセル及び誘電体表面を有するディスプレイパネルであって、前記固定電極と前記可動エレメントとの間に配置されるディスプレイパネル；並びに
ｄ）前記可動エレメントの導電性表面又はチップと前記ディスプレイパネルの誘電体表面との間に接触を形成することができる非導電性流体
を有してなる電気泳動ディスプレイ。
【請求項２】
前記ディスプレイセルはマイクロカップをベースとするディスプレイセルである請求項１記載の電気泳動ディスプレイ。
【請求項３】
前記可動エレメントは可動性の電極である請求項１記載の電気泳動ディスプレイ。
【請求項４】
前記可動エレメントはボールペン、万年筆又はカリグラフィーペンの形態を有しており、該ペンの先端部の近くに導電性チップ若しくは導電性ワイヤを有する請求項１記載の電気泳動ディスプレイ。
【請求項５】
前記可動エレメントは、導電性のマーカーヘッド及びスプリングが装着された少なくとも１つのチップ取り付け部を有する請求項１記載の電気泳動ディスプレイ。
【請求項６】
前記可動エレメントは導電性チップを有するインクジェットプリンタである請求項１記載の電気泳動ディスプレイ。
【請求項７】
ａ）非導電性流体を含む可動式リザーバ；及び
ｂ）電気泳動流体が充填されたディスプレイセルを有し、共通電極層と固定電極層との間に挟まれているディスプレイパネル
を有してなり、前記固定電極層は開口部を有している電気泳動ディスプレイ。
【請求項８】
前記固定電極層は、２つの絶縁層の間に挟まれた導電層を有してなる請求項７記載の電気泳動ディスプレイ。
【請求項９】
前記非導電性流体は、脱イオン水又は有機液体である請求項１記載の電気泳動ディスプレイ。
【請求項１０】
前記非導電性流体は５を越える誘電率を有する請求項１記載の電気泳動ディスプレイ。
【請求項１１】
前記有機溶媒は、プロピレングリコールモノメチルエーテルアセテート類から選ばれる液体、又はアルコール系液体若しくはグリセリンである請求項９記載の電気泳動ディスプレイ。
【請求項１２】
前記アルコール系液体はイソプロピルアルコールである請求項１１記載の電気泳動ディスプレイ。
【請求項１３】
前記非導電性流体は、脱イオン水又は有機液体である請求項７記載の電気泳動ディスプレイ。
【請求項１４】
前記有機液体は、プロピレングリコールモノメチルエーテルアセテート類から選ばれる液体、又はアルコール系液体若しくはグリセリンである請求項１３記載の電気泳動ディスプレイ。
【請求項１５】
前記アルコール系液体はイソプロピルアルコールである請求項１４記載の電気泳動ディスプレイ。
【請求項１６】
ｉ）請求項１記載の電気泳動ディスプレイを提供すること；及び
ｉｉ）非導電性流体を放出して、ディスプレイパネルの誘電体表面と前記可動エレメントの導電性表面又はチップとの間に接触を形成させること
を含んでなる、電気泳動ディスプレイをアドレス指定する方法。
【請求項１７】
ｉ）請求項７記載の電気泳動ディスプレイを提供すること；及び
ｉｉ）固定電極層の開口部の中に非導電性流体をリリースすること
を含んでなる、電気泳動ディスプレイをアドレス指定する方法。
【手続補正２】
【補正対象書類名】明細書
【補正対象項目名】全文
【補正方法】変更
【補正の内容】
【発明の詳細な説明】
【発明の名称】電気泳動ディスプレイ及びそのディスプレイをアドレス指定する方法
【技術分野】
【０００１】
本発明は、電気泳動ディスプレイ及びそのディスプレイをアドレス指定する方法に関する。そのようなディスプレイ及び方法は、特に、大型の電子黒板（electronic boards）又は電子サイン（若しくは電光掲示板）に好適に用いられる。
【背景技術】
【０００２】
電気泳動ディスプレイ（ＥＰＤ：electrophoretic display）は、溶媒中、好ましくは着色された誘電性溶媒中において、帯電した色素粒子のマイグレーション（又は移動）に影響を及ぼす電気泳動現象に基づく非発光型デバイスである。このタイプのディスプレイは、１９６９年に初めて提案された。電気泳動ディスプレイは、典型的には、一対の対向するプレート状の電極を有してなり、その２枚の電極の間にはスペーサーによって前もって所定の間隔が設けられている。少なくとも１つの電極は、一般に、表示側（viewing side）の電極は、透明である。パッシブ型の電気泳動ディスプレイには、頂部プレート及び底部プレートのロウ電極及びカラム電極が、ディスプレイを駆動するために必要とされている。対照的に、アクティブ型の電気泳動ディスプレイには、底部基材上の薄膜トランジスタ（ＴＦＴ）及び頂部表示側基材上のパターン形成されていない透明の共通導電性プレートを用いることができる。
【０００３】
誘電性溶媒及びその中に分散されている帯電した色素粒子（帯電色素粒子）からなる電気泳動性分散物（electrophretic dispersion）は、前記２つの電極プレートの間に封入されている。２つの電極プレートの間に電圧差が印加されると、帯電した色素粒子はその帯電色素粒子の極性とは反対の極性のプレートの方へ引き付けられることによって移動する。従って、透明プレート側において示される色は、電極プレートを選択的に荷電することによって決められるが、溶媒の色又は帯電色素粒子の色のいずれかであり得る。プレート極性を反転させると、粒子は反対側のプレートの方へ戻って移動し、従って色の反転が生じることになる。電圧のレンジ又はパルス時間を用いてプレート電荷を制御することによって、透明プレートにおいて、中間的色素密度に基づく中間的色密度（intermediate color density)（又はグレーのシェード）を達成することができる。
【０００４】
種々のピクセル構造又はセル構造の電気泳動ディスプレイが既に報告されており、例えば、パーティション型のＥＰＤ［Ｍ． Ａ ＨｏｐｐｅｒおよびＶ． Ｎｏｖｏｔｎｙ、ＩＥＥＥ Ｔｒａｎｓ． Ｅｌｅｃｔｒ． Ｄｅｖ．， Ｖｏｌ． ＥＤ２６、Ｎｏ．８、第１１４８〜１１５２頁（１９７９年)］、マイクロカプセル化された電気泳動ディスプレイ［米国特許第５,９６１,８０４号及び同第５,９３０,０２６号、並びに２００３年０１月３０日付けで出願された米国特許出願第６０／４４３８９３号及び２００４年０１月２７日付けで出願された米国特許出願第１０／７６６７５７号］、及びＭ． Ａ． Ｍｏｓｓｍａｎらの、ＳＩＤ '０１ Ｄｉｇｅｓｔ ｐｐ．１０５４（２００１年）；ＳＩＤ ＩＤＲＣ ｐｒｏｃｅｅｄｉｎｇｓ， ｐｐ．３１１（２００１年）；及びＳＩＤ '０２ Ｄｉｇｅｓｔ ｐｐ．５２２（２００２年）に開示されているようなマイクロプリズム又はマイクログルーブを用いる全反射型（ＴＩＲ）の電気泳動ディスプレイなどがある。
【０００５】
改良された電気泳動ディスプレイ技術は、米国特許第６,９３０,８１８号（ＷＯ０１／６７１７０に対応）、米国特許第６,６７２,９２１号（ＷＯ０２／０１２８１に対応）及び米国特許第６,９３３,０９８号（ＷＯ０２／０２／６５２１５に対応）に開示されており、これらの開示事項は参照することによって本願明細書に組み込まれる。改良された電気泳動ディスプレイは、マイクロカップから形成された独立セル、並びにそこに充填されている、誘電性溶媒又は溶媒混合物中に分散された帯電色素粒子を有している。セル中で電気泳動性分散物を閉じ込め及び隔離するため、ポリマーシール層、好ましくは熱可塑性樹脂、熱可塑性エラストマー、熱硬化性樹脂及びそれらの前駆物質からなる群から選ばれる材料を含む組成物から形成されるポリマーのシール層によって、充填されたマイクロカップの頂部を封止する。最も重要な事項は、大型の電気泳動ディスプレイであっても、マイクロカップ技術（microcup technology）によって、電気泳動ディスプレイのロール・ツー・ロール製造（roll-to-roll）が可能となったことである。
【発明の開示】
【発明が解決しようとする課題】
【０００６】
しかしながら、今日において、大型の電気泳動ディスプレイ駆動用の、商業的に入手できる低コストで高い解像度のバックプレーン（backplane）はない。更に、ドットマトリックス・パターン化電極を有する直接駆動方式、及びＴＦＴバックプレーンを有するアクティブマトリックス駆動方式はいずれも、大型のディスプレイに用いるには高価過ぎる駆動電子機器を必要とする。
【０００７】
大型ディスプレイ用のコスト有効度の高い１つの可能性ある方法として、機構的に可動性を有する電極が考えられている。固定共通電極と可動電極との組み合わせを用いて電気泳動ディスプレイのアドレス指定（addressing）を行って、局所的電界を形成することは、チャン（Ｃｈｉａｎｇ）らによって提案された（「Ｓｔｙｌｕｓ Ｗｒｉｔａｂｌｅ Ｅｌｅｃｔｒｏｐｈｏｒｅｔｉｃ Ｄｉｓｐｌａｙ Ｄｅｖｉｃｅ」、ＳＩＤ １９７９ Ｄｉｇｅｓｔ、第４４頁、参照）。この機構は、理論的には良好に機能するが、実際に適用するには問題点があった。主要な問題点は、電気泳動ディスプレイパネルの表面と可動電極との間の電気的接触が不十分であるということである。可動電極が電気泳動ディスプレイパネルの表面と接触する場合、可動電極チップ及び電気泳動ディスプレイパネルの両者の表面粗さ及び剛性のために、その界面にエアポケットが発生し、その結果、実際の接触領域（コンタクトエリア）が非常に制限される。不十分な接触によって、接触界面において電界強度の大きな損失が生じ、電気泳動ディスプレイパネル全体にわたって電界強度が減少する結果を生じる。一般に、２つの固定電極を用いる場合、電気泳動ディスプレイパネルは１Ｖ／μｍよりも小さい電界強度で駆動することができる。しかしながら、可動電極を用いて一方の固定電極に置き換えると、同じ電気泳動ディスプレイ機構を用いていずれかの適度な像の変化を達成するためには、２０Ｖ／μｍ以上の遙かに高い全体の電界強度が必要とされ得る。
【０００８】
このような不十分な電気的接触を防止するための１つの方法は、可動性の接触表面を、導電性／誘電性から導電性／導電性へ変更することである。例えば、後者の場合には、プリント回路基板（ＰＣＢ）を使用することができる。ビアホールを通して接続される、両側のドットマトリックス・導電性パターンを有するプリント回路基板は、電気泳動ディスプレイパネルにラミネートされる。プリント回路基板の１つの導電性表面は、ラミネーションによって電気泳動ディスプレイパネルの誘電体表面にしっかりと固定される。この場合に、可動電極は、プリント回路基板の他方の導電性表面の導電性パッドに接触する。両方の接触表面が導電性であるので、接触抵抗は無視し得る。別法として、電気泳動ディスプレイパネルに導電性パッドを直接的に前付着（pre-deposite）させて、パッドとディスプレイパネルとの間にしっかりとした結合を形成することもできる。その後、可動電極を導電性パッドに接触させると、電界が発生する。しかしながら、これらの方法では、像（イメージ(image))の解像度（resolution）は、プリント回路基板又は前付着導電性パッドのいずれかの解像度によって制限されることが避けられない。
【０００９】
本発明の目的は、低コストのディスプレイデバイス及びそのようなディスプレイをアドレス指定する駆動方法を提供することである。
【課題を解決するための手段】
【００１０】
本発明の第１の要旨は、
（ｉ）固定電極層と誘電体バリア層との間に挟まれている電気泳動ディスプレイパネル；及び
（ｉｉ）前記誘電体層側の第２の電極としての、少なくとも導電性表面又はチップを有する可動エレメント
を有する電気泳動ディスプレイに関する。非導電性流体は、ライティング／ドローイングプロセスの間、誘電体層と可動エレメントとの間に適用される。
【００１１】
少なくとも導電性表面又はチップを有する可動エレメントは、それ自体が電極であってもよいが、このことは必須ではない。
【００１２】
「電気泳動ディスプレイパネル」という用語には、既知の技術のいずれかから製造される電気泳動ディスプレイパネル、例えば、上記背景技術の欄において説明したような、常套のパーティション型、マイクロカプセルベース型又はマイクロカップベース型のいずれも含まれる。電気泳動ディスプレイパネルは、誘電性溶媒又は溶媒混合物中に分散された帯電色素粒子を有する電気泳動流体が充填されたディスプレイセル（例えば、パーティション型セル、マイクロカプセルベース型セル又はマイクロカップベース型セル）を典型的に有している。
【００１３】
ライティング／ドローイングプロセスの間、（電気泳動ディスプレイパネルの誘電体層側の）可動エレメントの導電性表面又はチップと、（電気泳動ディスプレイパネルの反対側の）固定電極層との間に電界が発生し、可動エレメントのコンタクト・ポイントに最も高い電界強度が位置する。誘電体バリア層の表面を横切って可動エレメントが動く際に、電界のピークもそれに伴って動く。固定電極と可動エレメントのコンタクト・ポイントとの間で電気泳動ディスプレイパネルにかかる電界の強度が十分である場合、適用された電界の極性に従って帯電色素粒子が移動し、像を形成する。従って、可動エレメントが動く際に、電界の影響下で帯電色素粒子が移動することによって、像が形成される。従って、可動エレメントの移動によって、電気泳動ディスプレイパネル上に像が書かれた／描かれた（ライティングされた／ドローイングされた）という認識が提供される。
【００１４】
固定電極及び可動エレメントによって形成される電界が電気泳動流体に効果的に適用されること、及び可動エレメントと誘電体バリア層との間の不十分な接触界面のために前記電界が失われたりしないことを確実にするため、可動エレメントと誘電体バリア層との間に非導電性流体を適用したり又は分配（又はディスペンス）したりする。非導電性流体は、ディスプレイパネル上の誘電体表面に存在する凹凸部及び細孔に入り、ディスプレイパネルの誘電体表面と可動エレメントとの間のコンタクト界面（又は接触界面）からエアポケットを排除する傾向を有している。流体と誘電体表面との間及び流体と可動エレメントとの間に密接な接触が形成されることによって、電気泳動流体には十分な電界強度が配分される。
【００１５】
多くの非導電性流体は、電界内において強い分極能を有する良好な誘電性物質であって、固定電極層と可動エレメントの導電性表面又はチップとの間の複層ディスプレイパネルへ特別な液体層を付与する衝撃を最小化することができる。付与された液体層に配分される電界強度の部分は、電気泳動流体によって形成される電界強度と比較して無視することができる。使用する非導電性流体の特性に応じて、電気泳動ディスプレイパネルに少なくとも導電性表面又はチップを有する可動エレメントをアドレス指定させるために必要とされる全電界強度を、劇的に低下させることができる。非導電性流体の選択基準は、非導電性流体が膨潤したり、誘電体層中へ浸透したりしないことである。
【００１６】
電気泳動ディスプレイパネルの誘電体バリア層と可動エレメントとの間に非導電性流体を使用することのもう１つの利点は、電気泳動ディスプレイパネルの機械的強度要求を軽減するということである。これによって、ディスプレイパネルの誘電体バリア層と可動エレメントとの間の接触圧の必要性が排除される。これによって、誘電体バリア層の摩耗抵抗性及び可動エレメントの表面円滑性の必要性も低減される。
【００１７】
本発明の他の利点は、像の解像度が流体パスの寸法によって制御されることに関連しており、その流体パスは非常に小さくすることができる。
【００１８】
本発明の第２の要旨は、上述のような電気泳動ディスプレイのアドレス指定の方法を提供する。
【００１９】
上述したように、可動エレメントによって非導電性流体を適用して、ディスプレイパネルの誘電体表面と可動エレメントの導電性表面又はチップとの間に接触を形成することができる。可動エレメント（例えばインクジェットヘッド）によって流体をディスペンスすることができ、可動エレメントがその他の位置に移動した後、流体はディスペンス部（ディスペンスサイト）に残る。
【００２０】
ローラなどの形態の可動エレメントを非導電性流体の小滴に接触するように移動させて、コンタクト・ポイントにて帯電色素粒子を駆動させることができる。可動エレメントのディスペンス速度は、帯電色素粒子の移動速度を上回ることができ、従って、書き込み（ライティング）速度の著しい向上がもたらされる。
【発明を実施するための最良の形態】
【００２１】
図１は本発明の電気泳動ディスプレイを示している。このディスプレイは、固定電極層（１１）、電気泳動ディスプレイパネル（１０）、導電性チップを有する可動エレメント（１２）及び可動エレメントの本体部に充填された非導電性流体（１４）を有している。ディスプレイパネルの片側は誘電体表面（１０ａ）を有している。可動エレメントから小滴の形態で放出される流体は、可動エレメント（１２）の導電性チップと電気泳動ディスプレイパネル（１０）との間に接触を生じさせ、更に可動エレメント（１２）の導電性チップと固定電極層（１１）との間に、一時的ではあるが、一体化された電界が形成される。可動エレメントは２つの部分１２ａ及び１２ｂを有している。部分１２ａは、上述したように、導電性であって、電源（図示せず）に接続されている。他の部分１２ｂはロボットアーム（１５）に連結することができ、可動エレメントの動きはロボットアーム（１５）によって制御される。
【００２２】
可動エレメントを所望の位置に移動させると、電気信号によって作動させて、可動エレメントの導電性チップ（１２ａ）から所定量の非導電性流体（１４）が放出される。電気泳動ディスプレイの誘電体表面と可動エレメントの導電性端部（１２ａ）との間の距離は、放出される非導電性流体小滴の寸法よりも小さく制御することができる。その結果、放出された非導電性流体の小滴（１６）は、電気泳動ディスプレイパネル（１０）の誘電体表面と、可動エレメント（１２）の導電性チップの両方に接触するようになる。その接触が形成されるとすぐに、可動エレメント（１２）の導電性チップと固定電極層（１１）との間の電位差によって、電気泳動ディスプレイパネル内で帯電色素粒子を駆動させるために十分な電界が形成される。
【００２３】
非導電性流体の小滴は、その小滴が放出されたスポットにデポジット（付着）させることができる。接触が必要ではなくなった場合には、小滴を可動エレメントの中へ戻すことができる。
【００２４】
本発明のために好適な非導電性流体は、高い誘電率（好ましくは５より大きい誘電率）を有し、誘電体層との親和性を有さず（incompatible）、必要な場合には妥当な蒸発速度を有し、適用量で環境に対して有害ではない有機流体であってよい。非導電性流体の例には、脱イオン水（ＤＩ）及び有機液体（又は溶媒）、例えば、イソプロパノール及びその他のアルコール系液体、グリセリン又はプロピレングリコールモノメチルエーテルアセテート類から選ばれる液体が含まれるが、これらに限定されない。これらの中で、脱イオン水（ＤＩ）及びイソプロパノールがより好ましい。
【００２５】
図２は、本発明のもう１つの態様を示している。この態様において、可動エレメント（２２）は、ボールペンの形態にて構成されている。可動エレメント（２２）の頂部の回転ボール（２２ａ）は、導電性であって、電源（図示せず）に接続されている。ペンの形態の可動エレメントの内側液体リザーバには、非導電性流体（２４）が充填されている。導電性の回転ボール（２２ａ）の回転によって、電気泳動ディスプレイパネル（２０）の誘電体表面（２０ａ）上に非導電性流体が放出され、ペン形態の可動エレメント導電性表面と電気泳動ディスプレイパネルとの間に接触が形成される。従って、ペン形態の可動エレメント導電性表面（２２）と固定電極層（２１）との間に電界が形成される。
【００２６】
別法として、可動エレメントを万年筆の形態にて構成することもできる。万年筆形態の可動エレメントのチップ（又は頂部）は、導電性であって、電源（図示せず）に接続される。
【００２７】
同様にして、電源に接続されている、導電性の細い銅ワイヤを有するカリグラフィー・ブラシ（又はカリグラフィー・ペン）を可動エレメントとして用いて、電気泳動ディスプレイのアドレス指定を行うこともできる。非導電性流体はインク溜め又はリザーバの中に独立して配置することができる。
【００２８】
図３は、本発明のもう１つの態様を示している。この態様において、可動エレメント（３２）はチップ取り付け部（３２ａ）を有している。チップ取り付け部は、内部に導電性ワイヤを有する消去可能なドライ・マーカーヘッド（３３）を有している。消去可能なドライ・マーカーヘッド（３３）は、フェルト材料又は吸収性フォーム材料から形成されていることが好ましい。可動エレメント（３２）の本体部（即ち、リザーバ）の中には、非導電性流体（３４）が充填されている。この本体部もフェルト材料又は吸収性フォーム材料から形成されていることが好ましい。アドレス指定プロセス（即ち、書き込みプロセス）の際には、その流体は、導電性ヘッド（３３）を通して、電気泳動ディスプレイパネル（３０）の誘電体表面（３０ａ）に適用される。フェルト材料の毛細管現象によって、流体は、可動エレメントのリザーバから、適用されるべき導電性マーカーヘッドを通して、電気泳動ディスプレイパネル（３０）の誘電体表面へ連続的に取り出され及び補充される。このようにして、可動エレメント（３２）の導電性マーカーヘッドと固定電極層（３１）との間に電界が形成される。
【００２９】
図３ではそこに示すように、チップ取り付け部（３２ａ）にスプリング（３５）が装着されていてもよい。書き込みプロセスにおいて、導電性マーカーヘッドはディスプレイパネルの誘電体表面に接触する必要がある。しかしながら、ディスプレイパネル表面のひっかき傷（scratch）を防止するため、スプリング（３５）を用いることによって接触圧の制御がより良好に行われる。
【００３０】
図４は、本発明のもう１つの態様を示している。この態様において、電気泳動ディスプレイをアドレス指定するために、可動式のインクジェットプリンタを用いている。ディスプレイパネル（４０）は、誘電体表面（４０ａ）及び固定電極層（４１）を有している。圧電性インクジェットノズル（４３）には非導電性流体（４４）が充填されている。ノズル（４３）のチップ（４３ａ）は導電性であって、電源（図示せず）に接続されている。ノズル（４３）は、電気泳動ディスプレイパネルから所定の間隔をおいて配置されている。ディスプレイパネルとノズルのチップとの間隔は、放出される非導電性流体小滴の垂直方向直径よりも小さく設定されている。ノズルの導電性チップに非導電性流体の小滴が形成されると、該小滴（４５）は電気泳動ディスプレイパネル（４０）の誘電体表面に接触する。それによって、ノズルの導電性チップと固定電極層（４１）との間に必要な電界が形成され、コンタクト領域にて電気泳動ディスプレイパネルに粒子の移動が生じる。
【００３１】
図５は、インクジェットプリント技術を用いて電気泳動ディスプレイのアドレス指定を行う別の方法を示している。この場合に、電気泳動ディスプレイは、共通の電極層（５２）、電気泳動ディスプレイパネル（５０）及び固定電極（５１）を有している。固定電極層（５１）は、パターン形成された開口部（５３）を有している。共通電極層（５２）と固定電極（５１）とは、同じ電源の異なる極に接続されている。固定電極（５１）は、第１の絶縁層（５１ａ）、導電層（５１ｂ）及び第２の絶縁層（５１ｃ）を有している。図５に示すように、１つの絶縁層（５１ａ）は、電気泳動ディスプレイパネル（５０）に接触している。
【００３２】
非接触相の間、電気泳動ディスプレイパネルに接触している絶縁層（５１ａ）及び開口部（５３）内部の空気によって、電気回路は開いた状態に保たれている。しかしながら、リザーバ（例えばインクジェットノズル）（５５）から開口部の中へ非導電性流体（５４）がディスペンス（又は分配供給）されると、その流体は固定電極の導電層（５１ｂ）及び電気泳動ディスプレイパネルの表面に接触して、共通電極層（５２）とインクジェットノズルとの間に電界パスを形成する。形成された電界は、電気泳動ディスプレイパネル内の帯電色素粒子に、像を形成するような動きを生じさせる。この態様において、導電層を金属ワイヤメッシュ又は薄い銅箔によって形成することもできるし、開口部を打ち抜き加工、レーザ加工等によって形成することもできる。
【００３３】
図５の態様において、書き込み側は、表示側であってもよいし、非表示側であってもよい。固定電極（５１）が透明ではない場合には、非表示側に書き込みを行うことができる。しかしながら、固定電極（５１）が透明である場合、固定電極の側を表示側とすることができ、その後、表示側に書き込みを行うことができる。このことは本発明の他の態様にも当てはまる。換言すれば、本発明は、表示側又は非表示側のいずれにも書き込みを行うことができるという融通性を提供する。
【００３４】
本発明の特定の態様を参照しながら、本発明について説明したが、当業者は、種々の変更を行うことができるということ、及び本発明の範囲及び精神から逸脱することなく、均等な置き換えを行うことができるということを理解されたい。更に、特定の状況、材料、組成物、方法、方法の工程について、本発明の対象、精神及び範囲に適合させるために種々の変更を行うことができる。そのような変更はすべて、特許請求の範囲に記載した範囲内のものであることを意図している。
【００３５】
従って、先行技術が許容する限り、及び明細書を考慮して、本発明は、特許請求の範囲に記載した事項によって規定されるべきである。
【図面の簡単な説明】
【００３６】
【図１】図１は、本発明の電気泳動ディスプレイの１つの態様例を示す模式図である。
【図２】図２は、本発明の電気泳動ディスプレイのもう１つの態様例を示す模式図である。
【図３】図３は、本発明の電気泳動ディスプレイのもう１つの態様例を示す模式図である。
【図４】図４は、本発明の電気泳動ディスプレイのもう１つの態様例を示す模式図である。
【図５】図５は、本発明の電気泳動ディスプレイの更にもう１つの態様例を示す模式図である。